(57)【要約】【課題】ドア枠をドアパネルの間の指詰めを防止するための保護カバー構造を提供する。【解決手段】  ドア間隙の保護カバー構造は、保護カバー１０及び少なくとも２つの固定板２０を備える。保護カバー１０は、可塑性材料により一体成形され、伸張させて展開したり畳んだりすることが可能な靭性を有し、複数個の下向きのコ字状に折り曲げられた構造を有し、支持して位置決めを行う固定端１１が両端側にそれぞれ形成される。固定板２０は、長尺状の金属からなる硬質板体であり、長形槽２１が一側部に凹設され、固定端４１に対応した嵌合溝２２が他側部に凹設される。固定板２０の嵌合溝２２に、保護カバー１０の固定端１１をそれぞれ嵌合させ、複数の固定部材６０により、ドアパネル７０及びドア枠８０の外側の対応した箇所に固定板２０を固定し、ドアパネル７０とドア枠８０との間のドア間隙９０をカバーする。【選択図】図２
0003173647.tif 000002
【実用新案登録請求の範囲】
【請求項１】
保護カバー及び少なくとも２つの固定板を備えるドア間隙の保護カバー構造であって、
前記保護カバーは、可塑性材料により一体成形され、伸張させて展開し、又は畳むことが可能な靭性を有し、複数個の下向きのコ字状に折り曲げられた構造を有し、支持して位置決めを行う固定端が両端側にそれぞれ形成され、
前記固定板は、長尺状の金属からなる硬質板体であり、長形槽が一側部に凹設され、前記固定端に対応した嵌合溝が他側部に凹設され、
前記固定板の前記嵌合溝に、前記保護カバーの前記固定端をそれぞれ嵌合させ、複数の固定部材により、ドアパネル及びドア枠の外側の対応した箇所に前記固定板のそれぞれを固定し、前記ドアパネルと前記ドア枠との間のドア間隙をカバーしてなることを特徴とするドア間隙の保護カバー構造。
【請求項２】
前記固定端の断面形状はＴ字状であることを特徴とする請求項１に記載のドア間隙の保護カバー構造。
【請求項３】
前記保護カバーの下向きのコ字状の構造それぞれが接続される箇所の厚さは、前記下向きコ字状の厚さより薄いことを特徴とする請求項１に記載のドア間隙の保護カバー構造。
【請求項４】
前記固定部材は、接着バー、ネジ又は釘であることを特徴とする請求項１に記載のドア間隙の保護カバー構造。
【請求項５】
前記ドア間隙には、前記保護カバーが設けられた側と反対側に、サブ保護カバーが設けられてなることを特徴とする請求項１に記載のドア間隙の保護カバー構造。
【請求項６】
前記サブ保護カバーは、可塑性材料により一体成形され、伸張させて展開し、又は畳むことが可能な靭性を有し、半円形状の断面構造を有してなることを特徴とする請求項５に記載のドア間隙の保護カバー構造。
【請求項７】
前記サブ保護カバーは、支持して位置決めを行うための固定端が両側端に形成され、中間層に設けられた挟持部を有するコ字状の固定挟持板を前記固定端にそれぞれ対応させて設置することにより、前記固定挟持板及び前記固定端に前記固定部材をそれぞれ貫設させ、前記ドアパネル及び前記ドア枠の内側の対応した箇所に前記サブ保護カバーをそれぞれ取り付けてなることを特徴とする請求項５に記載のドア間隙の保護カバー構造。
【請求項８】
前記サブ保護カバーは、支持して位置決めを行うための固定端が両側端に形成され、前記固定端の断面形状がＴ字状であり、前記長形槽が一側部に凹設され、前記固定端に対応する前記固定板が前記固定端に嵌合されて結合した後、数個の接着バーである前記固定部材が前記固定板の前記長形槽に貼着され、前記ドアパネル及び前記ドア枠の内側の対応した箇所に、前記サブ保護カバーがそれぞれ取り付けられてなることを特徴とする請求項５に記載のドア間隙の保護カバー構造。
【考案の詳細な説明】
【技術分野】
【０００１】
本考案は、ドア間隙の保護カバー構造に関するものであり、さらに詳しくは、ドアの開閉時に指詰め防止のためにドア枠とドアパネルとの間に取り付けられたドア間隙の保護カバー構造に関するものである。
【背景技術】
【０００２】
従来の開き戸の構造は、ドア枠とドアパネルとが枢着部材により枢着された構成からなるものであり、この枢着部材を回転軸として用い、ドアパネルを回転して開くことができるように構成されたものである。
しかし、ユーザが不用意に指を間隙に入れてドアパネルを回転して閉めた場合、指が挟まれて怪我をする虞があるため、従来の開き戸には改良が求められていた。
【０００３】
特開２００９−２９３２４２号公報（以下、「特許文献１」という。）には開き戸用の指詰防止蝶番であって、開き戸の枠に対して開き戸を開閉できるようにすると共に、前記枠に対して開き戸を閉めたときの開き戸と枠との間に手指を詰めない間隙を形成しうるように構成された蝶番が記載されている。
【０００４】
また、特開２０１１−１４４５４５号公報（以下、「特許文献２」という。）には、足指詰め防止材を開き戸の戸先側下面に取り付けて、その戸先側下面と床面との間に生じる間隙を小さくして足指詰めを防止するものであって、左右一対の側枠部と、これら側枠部の先端同士を連結する先端枠部を有し、全体的にコ字状枠に形成された構造が記載されている。
【０００５】
さらに、特開２００９−５７７３１号公報（以下、「特許文献３」という。）には、開き戸の扇体開放時に、吊元側縦枠と扇体の吊元側端面とで形成される間隙への指の挿入を防止する構造として、縦枠のうち吊元側縦枠には室内側に位置して取手部材を設けた構造が記載されている。
【０００６】
また、特開２０１０−２４８７１６号公報（以下、「特許文献４」という。）には、戸開き時の開口部間隙を塞ぐために、支持側化粧板覆いと先端側化粧板覆いをヒンジ部材で曲げ可能に構成した内臓折戸構造の化粧板覆いを装備したことが記載されている。  
しかし、ここに挙げたいずれの提案も指詰構造としては未だ改良すべき点が残されたものである。
【特許文献１】特開２００９−２９３２４２号公報
【特許文献２】特開２０１１−１４４５４５号公報
【特許文献３】特開２００９−５７７３１号公報
【特許文献４】特開２０１０−２４８７１６号公報
【考案の概要】
【考案が解決しようとする課題】
【０００７】
従って、本考案の課題は、ドア枠とドアパネルとの間の間隙で生じるおそれのある指詰めを防止する構造を提供することにある。
【課題を解決するための手段】
【０００８】
そこで、本考案者は、前記課題を解決するため、鋭意検討を重ねた結果、ドア枠とドアパネルとの間に取り付けられた保護カバーと少なくとも２つの固定板とから構成される保護カバー構造であって、保護カバーが一体成形され、伸縮自在とすることが可能な靭性を有し、保護カバーが展開されると、下向きのコ字状に折り曲げられた構造が現れ、外力が加えられないときは保護カバーが畳まれた状態となり、保護カバーにより指詰めの防止可能構造を提供できることに着目し、かかる知見に基いて本考案に想到するに至った。
【０００９】
かくして、本考案によれば、保護カバー及び少なくとも２つの固定板を備えるドア間隙の保護カバー構造であって、
前記保護カバーは、可塑性材料により一体成形され、伸張させて展開し、又は畳むことが可能な靭性を有し、複数個の下向きのコ字状に折り曲げられた構造を有し、支持して位置決めを行う固定端が両端側にそれぞれ形成され、前記固定板は、長尺状の金属からなる硬質板体であり、長形槽が一側部に凹設され、前記固定端に対応した嵌合溝が他側部に凹設され、前記固定板の前記嵌合溝に、前記保護カバーの前記固定端をそれぞれ嵌合させ、複数の固定部材により、ドアパネル及びドア枠の外側の対応した箇所に前記固定板のそれぞれを固定し、前記ドアパネルと前記ドア枠との間のドア間隙をカバーしてなることを特徴とするドア間隙の保護カバー構造が提供される。
【００１０】
前記固定端の断面形状はＴ字状であることが好ましい。
【００１１】
前記保護カバーの下向きのコ字状の構造それぞれが接続される箇所の厚さは、前記下向きコ字状の厚さより薄いことが好ましい。
【００１２】
前記固定部材は、接着バー、ネジ又は釘であることが好ましい。
【００１３】
前記ドア間隙には、前記保護カバーが設けられた側と反対側に、サブ保護カバーが設けられてなることが好ましい。
【００１４】
前記サブ保護カバーは、可塑性材料により一体成形され、伸張させて展開したり畳んだりすることが可能な靭性を有し、半円形状の断面構造を有することが好ましい。
【００１５】
前記サブ保護カバーは、支持して位置決めを行うための固定端が両側端に形成され、中間層に設けられた挟持部を有するコ字状の固定挟持板を前記固定端にそれぞれ対応させて設置することにより、前記固定挟持板及び前記固定端に前記固定部材をそれぞれ貫設させ、前記ドアパネル及び前記ドア枠の内側の対応した箇所に前記サブ保護カバーをそれぞれ取り付けることが好ましい。
【００１６】
前記サブ保護カバーは、支持して位置決めを行うための固定端が両側端に形成され、前記固定端の断面形状がＴ字状であり、前記長形槽が一側部に凹設され、前記固定端に対応する前記固定板が前記固定端に嵌合されて結合した後、数個の接着バーである前記固定部材が前記固定板の前記長形槽に貼着され、前記ドアパネル及び前記ドア枠の内側の対応した箇所に、前記サブ保護カバーがそれぞれ取り付けられていることが好ましい。
【考案の効果】
【００１７】
本考案は前記の構成からなり、ドアパネルとドア枠との間のドア間隙で生ずる指詰めを防止することができる。また、ドア間隙の気密性を保持することができる。さらに、保護カバーはドア枠とドアパネルの連結を安定化することもでき、構造上及び施工の利便性、施工効率にも優れたものである。
【図面の簡単な説明】
【００１８】
【図１】本考案の一実施形態によるドア間隙の保護カバー構造のドアパネル及びドア枠の対応箇所に保護カバーを取り付けた構造を示す斜視図である。
【図２】本考案の一実施形態によるドア間隙の保護カバー構造のドアパネルを閉めて保護カバーが畳まれた状態を示す断面図である。
【図３】図２の部分拡大図である。
【図４】本考案の一実施形態によるドア間隙の保護カバー構造の固定端と固定板とが固定部材により固設された状態を示す部分拡大図である。
【図５】本考案の一実施形態によるドア間隙の保護カバー構造のドアパネルを開き、保護カバーが伸張して展開された状態を示す断面図である。
【考案を実施するための形態】
【００１９】
以下、本考案の実施形態について図面に基づいて説明する。なお、これによって本考案が限定されるものではない。
【００２０】
図１〜図５を参照する。図１〜図５に示すように、本考案の一実施形態によるドア間隙の保護カバー構造は、少なくとも保護カバー１０と、少なくとも２つの金属からなる固定板２０と、サブ保護カバー４０とから構成される。
【００２１】
保護カバー１０は、可塑性材料により一体成形され、伸張されて展開したり畳んだりすることが可能な靭性を有する。保護カバー１０は、伸張されて展開すると、図５に示すように、複数個の下向きのコ字状に折り曲げられた状態となり、外力が加えられていないときは弾性回復力により畳まれ、保護カバーの下向きのコ字状の構造が接続されている箇所が下向きコ字状の箇所より薄くなっている。続いて、保護カバー１０の両端側には、支持して位置決めを行う固定端１１がそれぞれ形成されている。この固定端１１の断面形状はＴ字状である。
【００２２】
少なくとも２つの金属からなる固定板２０は、長尺状の板体であり、接着バー（ａｄｈｅｓｉｖｅ   ｂａｒ）として用いる固定部材３０を収容するために用いる長形槽２１が一側部に凹設され、固定端１１に対応する嵌合溝２２が他側部に凹設されている。この嵌合溝２２には、固定端１１が挿設されて嵌合し、保護カバー１０の固定端１１と固定板２０とを結合させた後に、複数の固定部材３０（本実施形態では接着バーからなる）の側面を固定板２０の長形槽２１内に対応させて貼着させるとともに、固定部材３０の他方の側面をドアパネル７０及びドア枠８０の外側の対応した位置にそれぞれ貼着して組み合わせることにより、ドアパネル７０とドア枠８０との間のドア間隙９０をカバーし、保護カバー１０へ２つの固定板２０を安定的に固定させることができる。
【００２３】
サブ保護カバー４０は、保護カバー１０の他方の側部のドア間隙９０の位置に固設され、可塑性材料により一体成形され、伸張されて展開したり畳んだりすることが可能な靭性を有する。サブ保護カバー４０は、半円形状の断面構造を有し、支持して位置決めを行うために固定端４１が両側端に形成され、コ字状の固定挟持板５０の中間層に設けられた挟持部５１を固定端４１にそれぞれ対応させて設け、固定挟持板５０及び固定端４１に固定部材６０を貫設させ、ドアパネル７０及びドア枠８０の内側の対応した箇所にサブ保護カバー４０をそれぞれ取り付け、ドア枠８０及びドアパネル７０に固設するサブ保護カバー４０の安定性を高める。また、サブ保護カバー４０の固定端４１及び固定挟持板５０は、保護カバー１０の固定端１１及び固定板２０と同様の機能を有し、接着バー、ネジ又は釘の固定部材３０を用いてドアパネル７０及びドア枠８０上にサブ保護カバー４０を固定することにより、施工の利便性及び迅速性を高めることができる。
【００２４】
上述したことから分かるように、本考案のドア間隙の保護カバー構造は以下の効果を有する。ドアパネル７０とドア枠８０との間のドア間隙９０に指が挟まれて怪我をすることを防ぐことができる上、ドアパネル７０とドア枠８０との間のドア間隙９０の気密性を保つことができる。本考案のドア間隙の保護カバー構造は、保護カバー１０と少なくとも２つの固定板２０とから構成される。保護カバー１０は、可塑性材料により一体成形され、伸張されて展開したり畳んだりすることが可能なように靭性を有し、外力を加えて展開すると下向きのコ字状に折り曲げられた構造が現れ、支持して位置決めする固定端１１が両端側に形成されている。この固定端１１は、少なくとも２つの固定板２０の嵌合溝２２内にそれぞれ挿設されて嵌合され、固定板２０の長形槽２１内に接着バーが貼着されてから、ドアパネル７０とドア枠８０との間に固定板２０を対応するように固設させてドア間隙９０をカバーする。この独創的な設計により、本考案の保護カバー１０は、ドアパネル７０とドア枠８０との組み合わせ安定性を高めて容易に外れないようにし、ドア間隙９０をカバーして安全性を高めることができる。固定板２０として接着バーを用い、長形槽２１と、ドアパネル７０又はドア枠８０上とに直接貼着することができるため、施工の利便性が高い上に、施工に必要な時間が少なくて施工効率が高い。
【００２５】
本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１０  保護カバー
１１  固定端
２０  固定板
２１  長形槽
２２  嵌合溝
３０  固定部材
４０  サブ保護カバー
４１  固定端
５０  固定挟持板
５１  挟持部
６０  固定部材
７０  ドアパネル
８０  ドア枠
９０  ドア間隙
【図１】
0003173647.tif 000003
【図２】
0003173647.tif 000004
【図３】
0003173647.tif 000005
【図４】
0003173647.tif 000006
【図５】
0003173647.tif 000007